(57)【要約】【課題】溶接ワイヤの送給速度を適切に制御し、アーク溶接を良好に行うことができるアーク溶接用電源装置（制御方法）を提供する。【解決手段】溶接ワイヤ１２の送給制御として、溶接ワイヤ１２の正送中で且つ送給速度Ｖｆｔが変化曲線の減速域にて短絡期間に切り替わるように溶接ワイヤ１２の送給速度Ｖｆｔを周期的に変化させており、その減速域にて溶接ワイヤ１２の送給速度Ｖｆｔの調整を行う。そして、溶接ワイヤ１２の送給速度Ｖｆｔが遅い旨の送給速度同期ずれの判定がなされると一旦加速を含む加速制御を実施し、溶接ワイヤ１２の送給速度Ｖｆｔが速い旨の送給速度同期ずれの判定がなされると一層減速させる減速制御を実施する。【選択図】図１
2014184451.tif 000002
【特許請求の範囲】
【請求項１】
溶接ワイヤを放電電極としたその電極先端にてアークを生じさせて被溶接物のアーク溶接を行うべく、アーク溶接にかかる短絡期間とアーク期間との各期間に適した出力電力に調整する出力制御部と、前記溶接ワイヤのアークによる消耗に加えアーク溶接にかかる短絡期間とアーク期間との周期的変化を発生させるべく前記溶接ワイヤの正逆送を含むその送給速度を周期的に変化させる送給制御部とを備えたアーク溶接用電源装置であって、
前記各期間に対する前記溶接ワイヤの送給速度同期ずれを判定する同期ずれ判定部を更に備え、
前記送給制御部は、前記溶接ワイヤの正送中で且つ送給速度が減速域にて前記短絡期間に切り替わるべく前記溶接ワイヤの送給速度を周期的に変化させており、その減速域にて前記溶接ワイヤの送給速度の調整を行うものであり、前記同期ずれ判定部にて前記溶接ワイヤの送給速度が遅い旨の送給速度同期ずれの判定がなされると一旦加速を含む加速制御を実施し、前記同期ずれ判定部にて前記溶接ワイヤの送給速度が速い旨の送給速度同期ずれの判定がなされると一層減速させる減速制御を実施することを特徴とするアーク溶接用電源装置。
【請求項２】
請求項１に記載のアーク溶接用電源装置において、
前記同期ずれ判定部は、前記短絡期間に切り替わるべき本来の時刻と実際の時刻とのずれが許容範囲を超える場合、前記溶接ワイヤの送給速度同期ずれが生じていると判定することを特徴とするアーク溶接用電源装置。
【請求項３】
請求項１又は２に記載のアーク溶接用電源装置において、
前記送給制御部は、前記溶接ワイヤの送給速度を周期的な変化曲線に沿って変化させるものであり、前記加速制御時には前記変化曲線上の加速域の同一速度となるまで前記変化曲線の位相を調整しその加速域の変化曲線を用いる制御を実施し、前記減速制御時には前記変化曲線上の減速域の一層減速側となるように前記変化曲線の位相を調整し一層減速側の変化曲線を用いる制御を実施することを特徴とするアーク溶接用電源装置。
【請求項４】
請求項１又は２に記載のアーク溶接用電源装置において、
前記送給制御部は、前記溶接ワイヤの送給速度を周期的な変化曲線に沿って変化させるものであり、前記加速制御時には一旦加速させた後に前記変化曲線の振幅を大きくしその振幅大の変化曲線を用いる制御を実施し、前記減速制御時には前記変化曲線の振幅を小さくしその振幅小の変化曲線を用いる制御を実施することを特徴とするアーク溶接用電源装置。
【請求項５】
溶接ワイヤを放電電極としたその電極先端にてアークを生じさせて被溶接物のアーク溶接を行うべく、アーク溶接にかかる短絡期間とアーク期間との各期間に適した出力電力に調整する出力制御と、前記溶接ワイヤのアークによる消耗に加えアーク溶接にかかる短絡期間とアーク期間との周期的変化を発生させるべく前記溶接ワイヤの正逆送を含むその送給速度を周期的に変化させる送給制御とを実施するアーク溶接用電源装置の制御方法であって、
前記溶接ワイヤの正送中で且つ送給速度が減速域にて前記短絡期間に切り替わるべく前記溶接ワイヤの送給速度を周期的に変化させており、その減速域にて前記溶接ワイヤの送給速度の調整を行うものであり、
前記各期間に対する前記溶接ワイヤの送給速度同期ずれを判定する同期ずれ判定を行い、前記溶接ワイヤの送給速度が遅い旨の送給速度同期ずれの判定がなされると一旦加速を含む加速制御を実施し、前記溶接ワイヤの送給速度が速い旨の送給速度同期ずれの判定がなされると一層減速させる減速制御を実施することを特徴とするアーク溶接用電源装置の制御方法。
【発明の詳細な説明】
【技術分野】
【０００１】
本発明は、消耗電極式のアーク溶接用電源装置、及び消耗電極式のアーク溶接用電源装置の制御方法に関する。
【背景技術】
【０００２】
消耗電極式のアーク溶接では、溶接ワイヤを放電電極としたその電極先端からアークを生じさせて被溶接物（母材）の溶接が行われるが、その際、溶接ワイヤはアークにより消耗するため、その消耗に応じて溶接ワイヤの送給を行いながら溶接が行われている。また、この消耗電極式のアーク溶接では、溶接ワイヤが被溶接物に接触する短絡期間と、溶接ワイヤが被溶接物から離間してアークを生じさせるアーク期間とが交互に生じるようにしているが、アーク溶接を適切に行うために各期間に応じて、溶接ワイヤの前進（正送）と後退（逆送）とが繰り返されている（例えば特許文献１参照）。
【先行技術文献】
【特許文献】
【０００３】
【特許文献１】特許第４８０７４７４号公報
【発明の概要】
【発明が解決しようとする課題】
【０００４】
ところで、溶接時においては、例えば溶接トーチの変位や被溶接物の表面状態等、溶接トーチと被溶接物との距離は相対的に変化する。つまり、溶接ワイヤへの給電を行う溶接トーチの給電チップと被溶接物との間の距離、所謂チップ母材間距離が変化することがあるため、これに合わせて溶接ワイヤの正送・逆送の送給速度を変化させる必要がある。
【０００５】
例えば、チップ母材間距離が縮んだ状況において溶接ワイヤの正送速度が速いと、溶接ワイヤが被溶接物と接触した後に更なる正送動作が行われて溶接ワイヤが座屈する虞がある。チップ母材間距離が伸びる状況において溶接ワイヤの正送速度が遅いと、溶接ワイヤの先端と被溶接物とが離間してアーク切れが生じる虞がある。このようにチップ母材間距離変化に対応して溶接ワイヤの送給速度を適切に調整しないと、溶接性能が低下したり、場合によっては溶接の継続に支障を来したりする虞があった。
【０００６】
本発明は、上記課題を解決するためになされたものであって、その目的は、溶接ワイヤの送給速度を適切に制御し、アーク溶接を良好に行うことができるアーク溶接用電源装置及びアーク溶接用電源装置の制御方法を提供することにある。
【課題を解決するための手段】
【０００７】
上記課題を解決するアーク溶接用電源装置は、溶接ワイヤを放電電極としたその電極先端にてアークを生じさせて被溶接物のアーク溶接を行うべく、アーク溶接にかかる短絡期間とアーク期間との各期間に適した出力電力に調整する出力制御部と、前記溶接ワイヤのアークによる消耗に加えアーク溶接にかかる短絡期間とアーク期間との周期的変化を発生させるべく前記溶接ワイヤの正逆送を含むその送給速度を周期的に変化させる送給制御部とを備えたアーク溶接用電源装置であって、前記各期間に対する前記溶接ワイヤの送給速度同期ずれを判定する同期ずれ判定部を更に備え、前記送給制御部は、前記溶接ワイヤの正送中で且つ送給速度が減速域にて前記短絡期間に切り替わるべく前記溶接ワイヤの送給速度を周期的に変化させており、その減速域にて前記溶接ワイヤの送給速度の調整を行うものであり、前記同期ずれ判定部にて前記溶接ワイヤの送給速度が遅い旨の送給速度同期ずれの判定がなされると一旦加速を含む加速制御を実施し、前記同期ずれ判定部にて前記溶接ワイヤの送給速度が速い旨の送給速度同期ずれの判定がなされると一層減速させる減速制御を実施する。
【０００８】
この構成によれば、溶接ワイヤの送給制御として、溶接ワイヤの正送中で且つ送給速度が減速域にて短絡期間に切り替わるように溶接ワイヤの送給速度を周期的に変化させており、その減速域にて溶接ワイヤの送給速度の調整が行われる。そして、溶接ワイヤの送給速度が遅い旨の送給速度同期ずれの判定がなされると一旦加速を含む加速制御が実施され、溶接ワイヤの送給速度が速い旨の送給速度同期ずれの判定がなされると一層減速させる減速制御が実施される。つまり、溶接トーチの給電チップと被溶接物との間の距離、所謂チップ母材間距離が変化する等の溶接環境変化が生じて、溶接ワイヤの送給速度が遅い状況となった時には加速制御として溶接ワイヤの送給速度が減速から一旦加速に転じ、溶接ワイヤの送給速度が速い状況となった時には減速制御として溶接ワイヤの送給速度が減速域の一層減速側に転じることから、それぞれの状況においていち早く所望速度に近似させることが可能となる。
【０００９】
また上記のアーク溶接用電源装置において、前記同期ずれ判定部は、前記短絡期間に切り替わるべき本来の時刻と実際の時刻とのずれが許容範囲を超える場合、前記溶接ワイヤの送給速度同期ずれが生じていると判定するのが好ましい。
【００１０】
この構成によれば、溶接ワイヤの送給速度同期ずれが生じているかの判定が、短絡期間に切り替わるべき本来の時刻と実際の時刻とのずれに基づいて行われる。つまり、溶接ワイヤの送給速度同期ずれの判定が時間計時にて容易に行われる。
【００１１】
また上記のアーク溶接用電源装置において、前記送給制御部は、前記溶接ワイヤの送給速度を周期的な変化曲線に沿って変化させるものであり、前記加速制御時には前記変化曲線上の加速域の同一速度となるまで前記変化曲線の位相を調整しその加速域の変化曲線を用いる制御を実施し、前記減速制御時には前記変化曲線上の減速域の一層減速側となるように前記変化曲線の位相を調整し一層減速側の変化曲線を用いる制御を実施するのが好ましい。
【００１２】
この構成によれば、溶接ワイヤの送給速度を周期的な変化曲線に沿って変化させる送給制御が行われ、溶接ワイヤの送給速度が遅い状況での加速制御時には、その変化曲線上の加速域の同一速度となるまで変化曲線の位相が調整されその加速域の変化曲線が用いられる。また溶接ワイヤの送給速度が速い状況での減速制御時には、その変化曲線上の減速域の一層減速側となるように変化曲線の位相が調整され一層減速側の変化曲線が用いられる。つまり、溶接ワイヤの送給速度を都度設定するための周期的な変化曲線の位相調整による制御であることから、溶接ワイヤの送給制御の簡略化に貢献する。
【００１３】
また上記のアーク溶接用電源装置において、前記送給制御部は、前記溶接ワイヤの送給速度を周期的な変化曲線に沿って変化させるものであり、前記加速制御時には一旦加速させた後に前記変化曲線の振幅を大きくしその振幅大の変化曲線を用いる制御を実施し、前記減速制御時には前記変化曲線の振幅を小さくしその振幅小の変化曲線を用いる制御を実施するのが好ましい。
【００１４】
この構成によれば、溶接ワイヤの送給速度を周期的な変化曲線に沿って変化させる送給制御が行われ、溶接ワイヤの送給速度が遅い状況での加速制御時には、一旦加速させた後にその変化曲線の振幅が大きくされその振幅大の変化曲線が用いられる。また溶接ワイヤの送給速度が速い状況での減速制御時には、その変化曲線の振幅が小さくされその振幅小の変化曲線が用いられる。つまり、溶接ワイヤの送給速度を都度設定するための周期的な変化曲線の振幅調整による制御であることから、溶接ワイヤの送給制御の簡略化に貢献する。
【００１５】
また上記課題を解決するアーク溶接用電源装置の制御方法は、溶接ワイヤを放電電極としたその電極先端にてアークを生じさせて被溶接物のアーク溶接を行うべく、アーク溶接にかかる短絡期間とアーク期間との各期間に適した出力電力に調整する出力制御と、前記溶接ワイヤのアークによる消耗に加えアーク溶接にかかる短絡期間とアーク期間との周期的変化を発生させるべく前記溶接ワイヤの正逆送を含むその送給速度を周期的に変化させる送給制御とを実施するアーク溶接用電源装置の制御方法であって、前記溶接ワイヤの正送中で且つ送給速度が減速域にて前記短絡期間に切り替わるべく前記溶接ワイヤの送給速度を周期的に変化させており、その減速域にて前記溶接ワイヤの送給速度の調整を行うものであり、前記各期間に対する前記溶接ワイヤの送給速度同期ずれを判定する同期ずれ判定を行い、前記溶接ワイヤの送給速度が遅い旨の送給速度同期ずれの判定がなされると一旦加速を含む加速制御を実施し、前記溶接ワイヤの送給速度が速い旨の送給速度同期ずれの判定がなされると一層減速させる減速制御を実施する。
【００１６】
この構成においても上記と同様に、溶接トーチの給電チップと被溶接物との間の距離、所謂チップ母材間距離が変化する等の溶接環境変化が生じて、溶接ワイヤの送給速度が遅い状況となった時には加速制御として溶接ワイヤの送給速度が減速から一旦加速に転じ、溶接ワイヤの送給速度が速い状況となった時には減速制御として溶接ワイヤの送給速度が減速域の一層減速側に転じることから、それぞれの状況においていち早く所望速度に近似させることが可能となる。
【発明の効果】
【００１７】
本発明のアーク溶接用電源装置及びアーク溶接用電源装置の制御方法によれば、溶接ワイヤの送給速度を適切に制御し、アーク溶接を良好に行うことができる。
【図面の簡単な説明】
【００１８】
【図１】実施形態におけるアーク溶接機（アーク溶接用電源装置）の構成図である。
【図２】第１実施形態の制御態様を説明するための波形図である。
【図３】第１実施形態の制御態様を説明するための波形図である。
【図４】第２実施形態の制御態様を説明するための波形図である。
【図５】第２実施形態の制御態様を説明するための波形図である。
【発明を実施するための形態】
【００１９】
（第１実施形態）
以下、アーク溶接用電源装置及びアーク溶接用電源装置の制御方法の第１実施形態を説明する。
【００２０】
図１に示すように、アーク溶接機１０としては、アーク溶接に適した出力電力を生成するアーク溶接用電源装置１１と共に、アークを生じさせる放電電極としての溶接ワイヤ１２への給電及びその保持を行う溶接トーチ１３と、溶接ワイヤ１２の送給を行う送給装置１４と、溶接ワイヤ１２が巻装されるワイヤスタンド１５とを備えている。
【００２１】
溶接トーチ１３は、電源装置１１とパワーケーブル１６を介して接続され、電源装置１１から電力供給を受ける。溶接トーチ１３は、溶接ワイヤ１２への給電を行う給電チップ１３ａを備えている。給電チップ１３ａは、溶接ワイヤ１２の送給動作を許容しつつ、電源装置１１にて生成された出力電力を溶接ワイヤ１２に供給すべく電気的に接触している。このような溶接トーチ１３は、溶接ワイヤ１２（給電チップ１３ａ）側が被溶接物（母材）Ｍに対向するように配置されて使用される。
【００２２】
送給装置１４は、駆動源としてモータ１４ａを備え、溶接ワイヤ１２のワイヤスタンド１５からの引き出し及び溶接トーチ１３への送出をそのモータ１４ａの駆動により行っている。放電電極である溶接ワイヤ１２はアークの発生に伴って消耗するため、送給装置１４は溶接ワイヤ１２の消耗を補うべく溶接ワイヤ１２の送給を行っている。また、この溶接ワイヤ１２の送給においては、単なる一方向・一定速度の送給態様ではなく、前進（正送）や後退（逆送）、更にはその時々の送給速度Ｖｆｔをも変更して行われている。このような送給装置１４（モータ１４ａ）は、電源装置１１内の制御回路２０にて制御され、溶接ワイヤ１２の送給動作における正送と逆送の切り替え（モータ１４ａの正逆転）や、溶接ワイヤ１２の送給速度Ｖｆｔ（モータ１４ａの回転速度）等が制御される。
【００２３】
アーク溶接用電源装置１１は、ＣＰＵを含んで構成される制御回路２０を備えている。制御回路２０は、アーク溶接のための出力電力を生成する出力制御部２０ａ、短絡・アーク期間Ｔｓ，Ｔａを検出する期間検出部２０ｂ、溶接ワイヤ１２の送給動作を制御する送給制御部２０ｃ、及び溶接ワイヤ１２の送給速度同期ずれが生じたかを判定する同期ずれ判定部２０ｄ等を備え、これらにてアーク溶接を適切に行うための制御を行っている。
【００２４】
ここで、図２及び図３を参照すると、本実施形態のような消耗電極式のアーク溶接機１０では、溶接ワイヤ１２が被溶接物Ｍに接触する短絡期間Ｔｓと、溶接ワイヤ１２が被溶接物Ｍから離間してアークを生じさせるアーク期間Ｔａとを交互に生じさせている。制御回路２０は、短絡期間Ｔｓとアーク期間Ｔａとが適切に生じるように、出力制御部２０ａによる出力電力（出力電圧Ｖｗ、出力電流Ｉｗ）の調整や、送給制御部２０ｃによる溶接ワイヤ１２の送給方向及び送給速度Ｖｆｔの調整を行っている。その際、制御回路２０は、期間検出部２０ｂによる電源装置１１の出力電圧Ｖｗの検出に基づいて短絡期間Ｔｓとアーク期間Ｔａとを検出している。
【００２５】
ところで、溶接トーチ１３の給電チップ１３ａと被溶接物Ｍとの間の相対的距離、所謂チップ母材間距離Ｌ等、溶接環境は変化する。この場合、溶接ワイヤ１２の送給速度Ｖｆｔをその距離Ｌに応じて変更しないと、アーク溶接における短絡期間Ｔｓとアーク期間Ｔａとの周期的な発生に悪影響を与え、アーク溶接が適切に行えない虞がある。そこで、制御回路２０は、出力電力の調整と共に、溶接ワイヤ１２の送給方向及び送給速度Ｖｆｔの調整を都度行っている。
【００２６】
図２及び図３に示すように、チップ母材間距離Ｌに変化が生じる前（時刻Ａ１，Ａ２以前）の状況では、出力電圧（アーク電圧）Ｖｗや出力電流（溶接電流）Ｉｗから分かる短絡期間Ｔｓとアーク期間Ｔａとの変化に対して、溶接ワイヤ１２の送給速度Ｖｆｔは正負（正逆送）も含めた正弦波状の変化曲線Ｘａ上で変化させている。換言すると、溶接ワイヤ１２の送給速度Ｖｆｔを正弦波状の変化曲線Ｘａ上で変化させて、短絡期間Ｔｓとアーク期間Ｔａとを周期的に発生させている。
【００２７】
溶接ワイヤ１２の送給速度Ｖｆｔは、一定の正の送給速度Ｖｆ１に送給速度の周波数成分Ｖａが重畳されて設定されている。送給速度Ｖｆｔがゼロより大となる正の領域では、溶接ワイヤ１２を前進させる正送であり、送給速度Ｖｆｔがゼロより小となる負の領域では、溶接ワイヤ１２を後退させる逆送である。アーク期間Ｔａの中期から短絡期間Ｔｓの後期にかけては溶接ワイヤ１２の正送の送給がなされ、短絡期間Ｔｓの後期からアーク期間Ｔａの中期にかけては溶接ワイヤ１２の逆送の送給がなされる。
【００２８】
チップ母材間距離Ｌの変化等が生じていない正常時では、他の溶接環境が変化しなければ短絡期間Ｔｓに切り替わる時刻ｔ１，ｔ２…は略同じ時間間隔である。またこの正常時では、溶接ワイヤ１２の送給速度Ｖｆｔが正送中の加速から若干減速に転じた所定速度Ｖｆａ（周波数成分はＶａ１）となる時刻ｔ１，ｔ２…で短絡期間Ｔｓに切り替わるのが好ましい。
【００２９】
これに対して、例えばチップ母材間距離Ｌに変化が生じた場合、図２のように短絡期間Ｔｓに切り替わるはずの本来の時刻ｔ３よりも遅い時刻ｔ３ａで短絡に切り替わったり、図３のように本来の時刻ｔ３よりも早い時刻ｔ３ｂで短絡に切り替わったりする。
【００３０】
例えば図２のように、チップ母材間距離Ｌが距離Ｌ０から距離Ｌｈまで伸びた場合に溶接ワイヤ１２の送給速度Ｖｆｔが正常時の設定のままであると、短絡期間Ｔｓに切り替わる本来の時刻ｔ３となった時に未だ短絡が生じていない状況となる。つまり、短絡期間Ｔｓに切り替わる実際の時刻ｔ３ａが本来の時刻ｔ３よりも遅れることから、実際に短絡期間Ｔｓに切り替わる時刻ｔ３ａでは溶接ワイヤ１２の送給速度Ｖｆｔが遅くなりがちである。この場合では、溶接ワイヤ１２の送給速度Ｖｆｔを加速する必要がある。
【００３１】
また例えば図３のように、チップ母材間距離Ｌが距離Ｌ０から距離Ｌｌまで縮んだ場合に溶接ワイヤ１２の送給速度Ｖｆｔが正常時の設定のままであると、短絡期間Ｔｓに切り替わる本来の時刻ｔ３となる前に短絡が生じる状況となる。つまり、短絡期間Ｔｓに切り替わる実際の時刻ｔ３ｂが本来の時刻ｔ３よりも早まることから、実際に短絡期間Ｔｓに切り替わる時刻ｔ３ｂでは溶接ワイヤ１２の送給速度Ｖｆｔが速くなりがちである。この場合では、溶接ワイヤ１２の送給速度Ｖｆｔを減速する必要がある。
【００３２】
これを踏まえ、本実施形態の制御回路２０は、先ず、アーク期間Ｔａから短絡期間Ｔｓに切り替わる実際の時刻ｔ３ａ，ｔ３ｂを認識し、短絡期間Ｔｓに切り替わるべき本来の時刻ｔ３とのずれが許容範囲内かを判定する。この本来の時刻ｔ３は、予め定めたものであっても、前の短絡期間Ｔｓの切り替わり等から都度設定するものであってもよい。
【００３３】
次に、本実施形態の動作（作用）について説明する。
「チップ母材間距離Ｌに変化無し」
短絡期間Ｔｓの切り替わる実際の時刻（ｔ１，ｔ２）のずれが許容範囲内の場合、制御回路２０の同期ずれ判定部２０ｄはチップ母材間距離Ｌの変化が略生じておらず現状の溶接ワイヤ１２の送給速度Ｖｆｔが適切（同期している）と判定し、送給制御部２０ｃは溶接ワイヤ１２の送給速度Ｖｆｔの変化態様（変化曲線Ｘａ）を維持する。
【００３４】
「チップ母材間距離Ｌが伸びた場合」
図２に示すように、短絡期間Ｔｓに切り替わる実際の時刻ｔ３ａと本来の時刻ｔ３とのずれが許容範囲を超え、実際の時刻ｔ３ａが本来の時刻ｔ３よりも遅い場合、同期ずれ判定部２０ｄはチップ母材間距離Ｌが伸び溶接ワイヤ１２の送給速度Ｖｆｔが遅いと判定し、送給制御部２０ｃは溶接ワイヤ１２の送給速度Ｖｆｔの変化曲線Ｘａの位相をα１だけ遅くする。その際、正常時の本来の時刻ｔ３では、溶接ワイヤ１２の送給速度Ｖｆｔが正送中の減速域Ｘ２の所定速度Ｖｆａとなるため、正送中の加速域Ｘ１での同じ速度Ｖｆａとなる変化曲線Ｘａ上まで位相がα１だけ遅くされる。従って、チップ母材間距離Ｌが伸びると溶接ワイヤ１２の送給速度Ｖｆｔが遅くなりがちとなるが、時刻ｔ３以降はその速度低下が抑制、寧ろ本実施形態では速度が一旦上昇するため、溶接ワイヤ１２の送給速度Ｖｆａがいち早く所望速度に近似するようになっている（加速制御）。
【００３５】
次いで、短絡期間Ｔｓに切り替わる実際の時刻ｔ３ａとなると、送給制御部２０ｃは、短絡期間Ｔｓに切り替わる正規の速度、即ち溶接ワイヤ１２の送給速度Ｖｆｔが正送中の減速域Ｘ２の所定速度Ｖｆａとなる変化曲線Ｘａ上まで位相がα２だけ進められる。尚、溶接ワイヤ１２の送給速度Ｖｆｔの変化曲線Ｘａを位相α１だけ遅くし、再び減速域Ｘ２の速度Ｖｆａに到達しても依然として短絡期間Ｔｓに切り替わらない（実際の時刻ｔ３ａが到来しない）場合、送給制御部２０ｃはその１箇所で再度変化曲線Ｘａの位相をα１だけ遅くする。
【００３６】
また、送給制御部２０ｃは、チップ母材間距離Ｌの変化直後の１箇所において上記の位相調整を行うのみで、以降において距離Ｌの変化が無ければ位相調整を行わない。尚、位相調整後に距離Ｌが再度変化した場合では、その変化直後に上記の位相調整が行われる。つまり、１度の距離Ｌの変化に対して直後の１箇所で位相調整が行われる。
【００３７】
このようにチップ母材間距離Ｌが伸びる状況では、溶接ワイヤ１２の送給速度Ｖｆｔの上記位相調整により、結果的に溶接ワイヤ１２の給電チップ１３ａからの突き出し長さが距離Ｌの伸びた分相当長くされ、ワイヤ１２の先端と被溶接物（母材）Ｍとの間隔が略維持されるように調整している。
【００３８】
「チップ母材間距離Ｌが縮んだ場合」
図３に示すように、短絡期間Ｔｓに切り替わる実際の時刻ｔ３ｂと本来の時刻ｔ３とのずれが許容範囲を超え、実際の時刻ｔ３ｂが本来の時刻ｔ３よりも早い場合、同期ずれ判定部２０ｄはチップ母材間距離Ｌが縮み溶接ワイヤ１２の送給速度Ｖｆｔが速いと判定し、送給制御部２０ｃは溶接ワイヤ１２の送給速度Ｖｆｔの変化曲線Ｘａの位相をα３だけ早くする。つまり、短絡期間Ｔｓに切り替わる正規の速度、即ち溶接ワイヤ１２の送給速度Ｖｆｔが正送中の減速域Ｘ２の所定速度Ｖｆａとなる変化曲線Ｘａ上まで位相がα３だけ進められる。従って、チップ母材間距離Ｌが縮むと溶接ワイヤ１２の送給速度Ｖｆｔが速くなりがちとなるが、時刻ｔ３ｂ以降はその速度低下が一層進み、溶接ワイヤ１２の送給速度Ｖｆａがいち早く所望速度に近似するようになっている（減速制御）。
【００３９】
また、送給制御部２０ｃは、チップ母材間距離Ｌが伸びた時と同様に、距離Ｌの変化直後の１箇所において上記の位相調整を行うのみで、以降において距離Ｌの変化が無ければ位相調整を行わない。つまり、このチップ母材間距離Ｌが縮んだ場合においても、１度の距離Ｌの変化に対して直後の１箇所で位相調整が行われる。
【００４０】
このようにチップ母材間距離Ｌが縮む状況においても、溶接ワイヤ１２の送給速度Ｖｆｔの上記位相調整により、結果的に溶接ワイヤ１２の給電チップ１３ａからの突き出し長さが距離Ｌの縮んだ分相当短くされ、ワイヤ１２の先端と被溶接物（母材）Ｍとの間隔が略維持されるように調整している。
【００４１】
次に、本実施形態の特徴的な効果を記載する。
（１）溶接ワイヤ１２の送給制御として、溶接ワイヤ１２の正送中で且つ送給速度Ｖｆｔが変化曲線Ｘａの減速域Ｘ２にて短絡期間Ｔｓに切り替わるように溶接ワイヤ１２の送給速度Ｖｆｔを周期的に変化させており、その減速域Ｘ２にて溶接ワイヤ１２の送給速度Ｖｆｔの調整が行われる。そして、溶接ワイヤ１２の送給速度Ｖｆｔが遅い旨の送給速度同期ずれの判定がなされると一旦加速を含む加速制御が実施され（図２）、溶接ワイヤ１２の送給速度Ｖｆｔが速い旨の送給速度同期ずれの判定がなされると一層減速させる減速制御が実施される（図３）。つまり、溶接トーチ１３の給電チップ１３ａと被溶接物Ｍとの間の距離（チップ母材間距離Ｌ）が変化する等の溶接環境変化が生じて、溶接ワイヤ１２の送給速度Ｖｆｔが遅い状況となった時には加速制御として溶接ワイヤ１２の送給速度Ｖｆｔが減速から一旦加速に転じ、溶接ワイヤ１２の送給速度Ｖｆｔが速い状況となった時には減速制御として溶接ワイヤ１２の送給速度Ｖｆｔが減速域Ｘ２の一層減速側に転じることから、それぞれの状況においていち早く所望速度に近似させることができ、アーク溶接を良好に行うことができる。
【００４２】
尚、チップ母材間距離Ｌの変化に対する溶接ワイヤ１２の送給速度Ｖｆｔの調整を中心に説明したが、チップ母材間距離Ｌ以外の溶接環境変化に対する溶接ワイヤ１２の送給速度Ｖｆｔの調整も行われる。
【００４３】
（２）溶接ワイヤ１２の送給速度Ｖｆｔの同期ずれが生じているかの判定が、短絡期間Ｔｓに切り替わるべき本来の時刻ｔ３と実際の時刻ｔ３ａ，ｔ３ｂとのずれに基づいて行われる。つまり、溶接ワイヤ１２の送給速度Ｖｆｔの同期ずれの判定を時間計時にて容易に行うことができる。
【００４４】
（３）溶接ワイヤ１２の送給速度Ｖｆｔを周期的な変化曲線Ｘａに沿って変化させる送給制御が行われ、溶接ワイヤ１２の送給速度Ｖｆｔが遅い状況での加速制御時には、その変化曲線Ｘａ上の加速域Ｘ１の同一速度Ｖｆａとなるまで変化曲線Ｘａの位相が調整されその加速域Ｘ１の変化曲線Ｘａが用いられる。また溶接ワイヤ１２の送給速度Ｖｆｔが速い状況での減速制御時には、その変化曲線Ｘａ上の減速域Ｘ２の一層減速側となるように変化曲線Ｘａの位相が調整され一層減速側の変化曲線Ｘａが用いられる。つまり、溶接ワイヤ１２の送給速度Ｖｆｔを都度設定するための周期的な変化曲線Ｘａの位相調整による制御であることから、溶接ワイヤ１２の送給制御の簡略化に貢献する。
【００４５】
（第２実施形態）
以下、アーク溶接用電源装置及びアーク溶接用電源装置の制御方法の第２実施形態を説明する。
【００４６】
本実施形態では、制御回路２０の送給制御部２０ｃでの制御態様が先の第１実施形態と異なる。第１実施形態では、溶接ワイヤ１２の送給速度Ｖｆｔの変化曲線Ｘａの位相調整（振幅固定）を行ったのに対し、本実施形態では、溶接ワイヤ１２の送給速度Ｖｆｔの変化曲線Ｘａの振幅調整（位相固定）を行う制御態様となっている。
【００４７】
「チップ母材間距離Ｌが伸びた場合」
図４に示すように、短絡期間Ｔｓに切り替わる実際の時刻ｔ３ａと本来の時刻ｔ３とのずれが許容範囲を超え、実際の時刻ｔ３ａが本来の時刻ｔ３よりも遅い場合、同期ずれ判定部２０ｄはチップ母材間距離Ｌが伸び溶接ワイヤ１２の送給速度Ｖｆｔが遅いと判定し、送給制御部２０ｃは溶接ワイヤ１２の送給速度Ｖｆｔの変化曲線Ｘａの振幅を大きくした変化曲線Ｘｂ上で溶接ワイヤ１２の送給速度Ｖｆｔを変化させる。その際、正常時の本来の時刻ｔ３では、溶接ワイヤ１２の送給速度Ｖｆｔが正送中の減速域Ｘ２の所定速度Ｖｆａとなるため、正送中の加速域Ｘ１での同じ速度Ｖｆａとなる変化曲線Ｘｂ上から再び変化させる。従って、チップ母材間距離Ｌが伸びると溶接ワイヤ１２の送給速度Ｖｆｔが遅くなりがちとなるが、本実施形態においても時刻ｔ３以降はその速度低下が抑制、寧ろ本実施形態でも速度が一旦上昇するため、溶接ワイヤ１２の送給速度Ｖｆａがいち早く所望速度に近似するようになっている（加速制御）。
【００４８】
次いで、短絡期間Ｔｓに切り替わる実際の時刻ｔ３ａとなると、送給制御部２０ｃは溶接ワイヤ１２の送給速度Ｖｆｔを例えば送給速度Ｖｆ１まで振幅の大きい変化曲線Ｘｂ上で変化させ、それ以降は通常の変化曲線Ｘａ上で変化させる。つまり、この振幅調整においても、１度の距離Ｌの変化に対して直後の１箇所で振幅調整が行われる。
【００４９】
このようにチップ母材間距離Ｌが伸びる状況では、溶接ワイヤ１２の送給速度Ｖｆｔの上記振幅調整により、結果的に溶接ワイヤ１２の給電チップ１３ａからの突き出し長さが距離Ｌの伸びた分相当長くされ、ワイヤ１２の先端と被溶接物（母材）Ｍとの間隔が略維持される調整となっている。
【００５０】
「チップ母材間距離Ｌが縮んだ場合」
図５に示すように、短絡期間Ｔｓに切り替わる実際の時刻ｔ３ｂと本来の時刻ｔ３とのずれが許容範囲を超え、実際の時刻ｔ３ｂが本来の時刻ｔ３よりも早い場合、同期ずれ判定部２０ｄはチップ母材間距離Ｌが縮み溶接ワイヤ１２の送給速度Ｖｆｔが速いと判定し、送給制御部２０ｃは溶接ワイヤ１２の送給速度Ｖｆｔの変化曲線Ｘａの振幅を小さくした変化曲線Ｘｃ上で溶接ワイヤ１２の送給速度Ｖｆｔを変化させる。従って、チップ母材間距離Ｌが縮むと溶接ワイヤ１２の送給速度Ｖｆｔが速くなりがちとなるが、時刻ｔ３ｂ以降はその速度低下が一層進み、溶接ワイヤ１２の送給速度Ｖｆａがいち早く所望速度に近似するようになっている（減速制御）。
【００５１】
そして、送給制御部２０ｃは、溶接ワイヤ１２の送給速度Ｖｆｔを例えば送給速度Ｖｆ１まで振幅の小さい変化曲線Ｘｃ上で変化させ、それ以降は通常の変化曲線Ｘａ上で変化させる。つまり、この距離Ｌが縮んだ時の振幅調整においても、１度の距離Ｌの変化に対して直後の１箇所で振幅調整が行われる。
【００５２】
このようにチップ母材間距離Ｌが縮む状況においても、溶接ワイヤ１２の送給速度Ｖｆｔの上記振幅調整により、結果的に溶接ワイヤ１２の給電チップ１３ａからの突き出し長さが距離Ｌの縮んだ分相当短くされ、ワイヤ１２の先端と被溶接物（母材）Ｍとの間隔が略維持される調整となっている。
【００５３】
次に、本実施形態の特徴的な効果を記載する。
（１）（２）この第２実施形態においても、第１実施形態の効果（１）（２）と同様な効果が得られる。
【００５４】
（３）溶接ワイヤ１２の送給速度Ｖｆｔが遅い状況での加速制御時には、一旦加速させた後にその変化曲線Ｘａの振幅が大きくされその振幅大の変化曲線Ｘｂが用いられる。また溶接ワイヤ１２の送給速度Ｖｆｔが速い状況での減速制御時には、その変化曲線Ｘａの振幅が小さくされその振幅小の変化曲線Ｘｃが用いられる。つまり、溶接ワイヤ１２の送給速度Ｖｆｔを都度設定するための周期的な変化曲線Ｘａの振幅調整による制御であることから、溶接ワイヤの送給制御の簡略化に貢献する。
【００５５】
尚、上記実施形態は、以下のように変更してもよい。
・短絡期間Ｔｓに切り替わるべき本来時刻と実時刻との比較にてチップ母材間距離Ｌの変化等の溶接環境変化に起因する溶接ワイヤ１２の送給速度Ｖｆｔの同期ずれ判定を行ったが、出力電圧Ｖｗや出力電流Ｉｗの変化、測距装置による直接的なチップ母材間距離Ｌの計測等、他のパラメータを１つ又は複数用いて、送給速度同期ずれの判定を行ってもよい。
【００５６】
・溶接ワイヤ１２の送給速度Ｖｆｔが遅い状況での加速制御時において、その変化曲線Ｘａ上の加速域Ｘ１の一部を用いたが、これ以外の変化曲線や変化直線を別途用意して用いてもよい。
【００５７】
・その他、アーク溶接機１０、アーク溶接用電源装置１１及び制御回路２０の構成を適宜変更してもよい。
・その他、溶接ワイヤ１２の送給速度Ｖｆｔの制御等、アーク溶接にかかる各種制御を適宜変更してもよい。
【００５８】
次に、上記実施形態及び別例から把握できる技術的思想を以下に追記する。
（イ）  溶接ワイヤへの給電及びその保持を行う溶接トーチと、前記溶接ワイヤの送給を行いその送給動作が制御される送給装置と、請求項１〜４のいずれか１項に記載のアーク溶接用電源装置とを備えたことを特徴とするアーク溶接機。
【００５９】
この構成によれば、溶接ワイヤの送給速度を適切に制御し、アーク溶接を良好に行うアーク溶接機として提供することができる。
【符号の説明】
【００６０】
１１    アーク溶接用電源装置
１２    溶接ワイヤ
２０ａ  出力制御部
２０ｃ  送給制御部
２０ｄ  同期ずれ判定部
Ｍ      被溶接物
Ｔｓ    短絡期間
Ｔａ    アーク期間
Ｉｗ    出力電流（出力電力）
Ｖｗ    出力電圧（出力電力）
Ｖｆｔ  送給速度
ｔ１，ｔ２，ｔ３  時刻
ｔ３ａ，ｔ３ｂ    時刻
Ｘａ，Ｘｂ，Ｘｃ  変化曲線
Ｘ１    加速域
Ｘ２    減速域
α１〜α３  位相
【図１】
2014184451.tif 000003
【図２】
2014184451.tif 000004
【図３】
2014184451.tif 000005
【図４】
2014184451.tif 000006
【図５】
2014184451.tif 000007